(57)【特許請求の範囲】
【請求項１】
天板、底板および一対の側板を有する筐体の内部に主収納部が形成されると共に、前記主収納部を閉塞する扉が正面に配設されている収納家具であって、
前記天板、前記底板および前記一対の側板のうちの少なくとも一つの板体の内面に沿って当該板体の厚みの範囲内に収納空間の主たる部分が形成されると共に前記主収納部と区画された副収納部を備え、
前記筐体の外部から前記副収納部に連通する投入口が前記正面に形成されている収納家具。
【請求項２】
天板、底板および一対の側板を有する筐体と、前記天板および前記底板の間並びに前記一対の側板間の少なくとも一方に架け渡された仕切板とを備えて前記筐体の内部に複数の主収納部が形成されると共に、前記主収納部を閉塞する扉が正面に配設されている収納家具であって、
前記天板、前記底板、前記一対の側板および前記仕切板のうちの少なくとも一つの板体の内面に沿って当該板体の厚みの範囲内に収納空間の主たる部分が形成されると共に前記主収納部と区画された副収納部を備え、
前記筐体の外部から前記副収納部に連通する投入口が前記正面に形成されている収納家具。
【請求項３】
前記扉は、前記副収納部が形成された前記板体の正面壁を露出させつつ前記主収納部を閉塞可能に構成され、
前記投入口は、前記正面壁に形成されている請求項１または２記載の収納家具。
【請求項４】
前記扉は、前記副収納部が形成された前記板体の正面壁を被覆しつつ前記主収納部を閉塞可能に構成され、
前記板体の前記正面壁には、前記副収納部に連通する連通孔が形成され、
前記投入口は、前記扉における前記連通孔に対向する部位に形成されている請求項１または２記載の収納家具。
【請求項５】
前記副収納部を構成する物受けが前記板体の前記内面側に配設されている請求項１から４のいずれかに記載の収納家具。
【請求項６】
前記物受けは、前記板体の前記内面に着脱可能に形成されている請求項５記載の収納家具。
【請求項７】
収納物確認用の孔または切欠きが前記副収納部を形成する側板に形成されている請求項１から６のいずれかに記載の収納家具。
【請求項８】
前記副収納部の前記主収納部側の側板は、透明または半透明の材料で形成されている請求項１から７のいずれかに記載の収納家具。
【請求項９】
前記副収納部内の収納物の有無を表示する表示手段が前記正面に配設されている請求項１から８のいずれかに記載の収納家具。
【請求項１０】
前記副収納部は、前記板体の厚みの範囲内で形成されている請求項１から９のいずれかに記載の収納家具。
【発明の詳細な説明】
【技術分野】
【０００１】
本発明は、天板、底板および一対の側板を備えて内部に主収納部が形成されると共に、正面に主収納部を閉塞する扉が配設されている収納家具に関するものである。
【背景技術】
【０００２】
この種の収納家具として、特開平１１−１３７３４８号公報に開示された収納家具が知られている。この収納家具は、内部に収納空間を有する家具本体と、この家具本体の収納空間を開閉する位置に配設される鏡板（扉）と、この鏡板に開口する投入口（投函口）とを備えて構成されている。この収納家具では、鏡板に投入口を設けたことにより、施錠状態であっても、書類等をその投入口に投入することで収納空間内に入れることができる。
【０００３】
【特許文献１】特開平１１−１３７３４８号公報（第３−４頁、第２，３，５図）
【発明の開示】
【発明が解決しようとする課題】
【０００４】
ところが、この収納家具には、以下の問題点がある。すなわち、この収納家具では、上記公報中の図３に示すように、投入された書類等を収納するトレーが上収納部内に大きく張り出した状態で設置されているため、上収納部の収納容積が大きく損なわれるという問題点がある。
【０００５】
本発明は、かかる問題点に鑑みてなされたものであり、収納容積を十分に確保しつつ、扉が閉まっている状態においても外部から書類等を投入し得る収納家具を提供することを主目的とする。
【課題を解決するための手段】
【０００６】
上記目的を達成すべく請求項１記載の収納家具は、天板、底板および一対の側板を有する筐体の内部に主収納部が形成されると共に、前記主収納部を閉塞する扉が正面に配設されている収納家具であって、前記天板、前記底板および前記一対の側板のうちの少なくとも一つの板体の内面に沿って当該板体の厚みの範囲内に収納空間の主たる部分が形成されると共に前記主収納部と区画された副収納部を備え、前記筐体の外部から前記副収納部に連通する投入口が前記正面に形成されている。
【０００７】
請求項２記載の収納家具は、天板、底板および一対の側板を有する筐体と、前記天板および前記底板の間並びに前記一対の側板間の少なくとも一方に架け渡された仕切板とを備えて前記筐体の内部に複数の主収納部が形成されると共に、前記主収納部を閉塞する扉が正面に配設されている収納家具であって、前記天板、前記底板、前記一対の側板および前記仕切板のうちの少なくとも一つの板体の内面に沿って当該板体の厚みの範囲内に収納空間の主たる部分が形成されると共に前記主収納部と区画された副収納部を備え、前記筐体の外部から前記副収納部に連通する投入口が前記正面に形成されている。
【０００８】
請求項３記載の収納家具は、請求項１または２記載の収納家具において、前記扉は、前記副収納部が形成された前記板体の正面壁を露出させつつ前記主収納部を閉塞可能に構成され、前記投入口は、前記正面壁に形成されている。
【０００９】
請求項４記載の収納家具は、請求項１または２記載の収納家具において、前記扉は、前記副収納部が形成された前記板体の正面壁を被覆しつつ前記主収納部を閉塞可能に構成され、前記板体の前記正面壁には、前記副収納部に連通する連通孔が形成され、前記投入口は、前記扉における前記連通孔に対向する部位に形成されている。
【００１０】
請求項５記載の収納家具は、請求項１から４のいずれかに記載の収納家具において、前記副収納部を構成する物受けが前記板体の前記内面側に配設されている。
【００１１】
請求項６記載の収納家具は、請求項５記載の収納家具において、前記物受けは、前記板体の前記内面に着脱可能に形成されている。
【００１２】
請求項７記載の収納家具は、請求項１から６のいずれかに記載の収納家具において、収納物確認用の孔または切欠きが前記副収納部を形成する側板に形成されている。
【００１３】
請求項８記載の収納家具は、請求項１から７のいずれかに記載の収納家具において、前記副収納部の前記主収納部側の側板は、透明または半透明の材料で形成されている。
【００１４】
請求項９記載の収納家具は、請求項１から８のいずれかに記載の収納家具において、前記副収納部内の収納物の有無を表示する表示手段が前記正面に配設されている。
【００１５】
請求項１０記載の収納家具は、請求項１から９のいずれかに記載の収納家具において、前記副収納部は、前記板体の厚みの範囲内で形成されている。
【発明の効果】
【００１６】
請求項１記載の収納家具によれば、天板、底板および一対の測板のうちの少なくとも一つの板体の内面に沿って板体の厚みの範囲内に収納空間の主たる部分が形成される副収納部を備え、かつ筐体の外部から副収納部に連通する投入口を形成することにより、主収納部の収納容積を十分に確保しつつ、扉が閉まっている状態においても外部から副収納部に書類等を投入することができる。
【００１７】
また、請求項２記載の収納家具によれば、天板、底板、一対の測板および仕切り板のうちの少なくとも一つの板体の内面に沿って板体の厚みの範囲内に収納空間の主たる部分が形成される副収納部を備え、かつ筐体の外部から副収納部に連通する投入口を形成することにより、筐体の内部に複数の主収納部が形成されている収納家具においても、各主収納部の収納容積を十分に確保しつつ、各扉が閉まっている状態においても、外部から各副収納部に書類等を投入することができる。
【００１８】
また、請求項３記載の収納家具によれば、扉を閉じた際に板体の正面壁が露出する型式の収納家具において、副収納部および投入口の形成に板体の正面壁を利用することにより、簡易な構造でありながら、副収納部および投入口を形成することができる。
【００１９】
さらに、請求項４記載の収納家具によれば、扉を閉じた際に板体の正面壁が扉によって被覆される型式の収納家具においても、副収納部に連通する連通孔を板体の正面壁に形成し、投入口を連通孔に対向する扉の部位に形成することにより、簡易な構造でありながら、副収納部、連通孔および投入口を形成することができる。
【００２０】
また、請求項５記載の収納家具によれば、副収納部を構成する物受けを板体の内面側に配設したことにより、副収納部と主収納部とを確実に区画することができる。したがって、投入された書類等の主収納部への混入を防止しつつ副収納部に確実に収納することができる。
【００２１】
また、請求項６記載の収納家具によれば、板体の内面に着脱可能に物受けを形成したことにより、利用者は、物受けを取り外して書類等を容易に取り出すことができる。
【００２２】
また、請求項７記載の収納家具によれば、収納物確認用の孔または切欠きを副収納部に形成したことにより、利用者は孔または切欠きを介して収納物の有無を確実かつ容易に確認することができる。
【００２３】
また、請求項８記載の収納家具によれば、副収納部の主収納部側の側板を透明または半透明の材料で形成したことにより、利用者は透明または半透明の側板を介して収納物の有無を容易に確認することができる。
【００２４】
また、請求項９記載の収納家具によれば、副収納部内の収納物の有無を表示する表示手段を正面に配設したことにより、利用者は扉を開いて副収納部の内部を確認することなく収納物の有無を容易に知ることができる。
【００２５】
また、請求項１０記載の収納家具によれば、副収納部を板体の厚みの範囲内に形成したことにより、主収納部の収納容量を最大限に確保することができる。
【発明を実施するための最良の形態】
【００２６】
以下、本発明に係る収納家具の最良の形態について、添付図面を参照して説明する。
【００２７】
最初に、本発明に係る収納家具を適用したロッカー１の構成について、図面を参照して説明する。
【００２８】
ロッカー１は、図１に示すように、本体部２および扉３を備えて構成されている。本体部２は、本発明における筐体に相当し、図１〜図３に示すように、それぞれスチールで形成された底板２１、左側板２２、右側板２３、天板２４、および背板２５の各板体を互いに連結して、全体として縦長の箱状に構成されている。また、本体部２の内部には、図２〜図４に示すように、衣類や荷物などを収納可能な主収納部５と、郵便物や請求書などの書類等１０（以下、「書類１０」ともいう）を収納可能な副収納部６とが形成されている。また、本体部２の主収納部５には、ハンガーを吊り下げるためのパイプ（図示せず）や、荷物を載置するための棚（図示せず）などが配設されている。なお、副収納部６については後述する。
【００２９】
左側板２２は、右側板２３と共に本発明における一対の側板を構成し、図４に示すように、ロッカーとしての一定の強度を保つために、その前面に曲げ加工が施されている。この場合、曲げ加工が施された部分のうちの正面から視認できる部分が、本発明における正面壁に相当する左側板正面壁２２ａを形成する。また、底板２１、右側板２３および天板２４についても、ロッカーとしての一定の強度を保つために、各板の前面側に曲げ加工が施されている。また、この曲げ加工が施された部分のうちの正面から視認できる部分が、図１〜図３に示すように、底板正面壁２１ａ、右側板正面壁２３ａおよび天板正面壁２４ａをそれぞれ構成する。また、底板正面壁２１ａおよび天板正面壁２４ａの各高さと、左側板正面壁２２ａおよび右側板正面壁２３ａの各横幅が、本発明における各板体（底板２１、天板２４、左側板２２および右側板２３）の各厚みに相当する。
【００３０】
扉３は、上記の各板体２１〜２３の各正面壁２１ａ〜２３ａを露出させつつ本体部２における前面の開口部４を開閉可能に（主収納部５を閉塞可能に）、図１，２に示すように、蝶番３１，３２を介して右側板２３における右側板正面壁２３ａの縁部に取り付けられている。また、両図に示すように、扉３には、開閉用の取っ手３４や施錠用の鍵３５を備えた開閉操作部３３が取り付けられている。
【００３１】
一方、上記した副収納部６は、図３，４に示すように、底板６１、左側板２２および仕切り板６２によって構成され、本発明における一つの板体に相当する左側板２２の内面に沿って左側板２２の厚み（正確には、左側板正面壁２２ａの横幅）の範囲内に収納空間が形成されると共に主収納部５と区画されている。底板６１は、例えば、図３に示すように、左側板２２から右側板２３に向けて水平方向に延びた棚状のスチール板で形成されて、副収納部６の底部を構成する。また、左側板２２は、図４に示すように、副収納部６の左壁、正面壁、および右壁の前面側の一部を構成する。仕切り板６２は、副収納部６に収納されている収納物を開口部４側から容易に確認できるように、一例として透明な樹脂によって形成されている。また、仕切り板６２は、図３，４に示すように、底板６１上に配設されて、主収納部５と副収納部６とを区画する境界壁を構成する。また、仕切り板６２は、本発明における副収納部を形成する側板に相当し、その高さが背板２５側に向かうに従って低くなるように背板２５側の上部が切り欠かれており、その切欠き６２ａに突出する書類１０の収納物を開口部４側から容易に確認することができるようになっている。また、一例として、仕切り板６２には、左側板２２と接する部分に複数の固定用爪（図示せず）が形成されており、この各固定用爪と対応する位置の左側板２２には、この各固定用爪に嵌合する孔（図示せず）が複数形成されている。さらに、仕切り板６２には、底板６１と接する部分に固定用爪（図示せず）が複数形成されており、この固定用爪と対応する位置の底板６１には、固定用爪（図示せず）に嵌合する孔が複数形成されている。したがって、仕切り板６２の各固定用爪と、左側板２２および底板６１の各孔とを嵌め合わせることにより、この仕切り板６２が本体部２に着脱可能に固定される。
【００３２】
また、副収納部６を形成する左側板正面壁（本発明における正面および正面壁）２２ａには、図１，２，４に示すように、本発明における投入口に相当し、書類１０を投函可能な大きさの縦長の長孔が投函口８として形成されている。この場合、投函口８は、投函された書類１０が副収納部６に直接収納される位置に形成されている。
【００３３】
さらに、左側板正面壁２２ａには、マグネット式の表示板９が配設されている。この場合、表示板９は、副収納部６内における書類１０の収納物の有無を表示して利用者に知らせる表示手段であって、投函口８の上部において磁力によって貼り付けられている。この表示板９では、一面側に「投函物有り」の文字が印刷されると共に他面側に「投函物なし」の文字が印刷されている。したがって、書類１０を投函した際に、投函者によって一面側が表面側となるように裏返しされることで、投函物の有無を利用者に対して確実かつ容易に知らしめることができるようになっている。
【００３４】
次に、ロッカー１の使用方法について説明する。
【００３５】
このロッカー１は、例えば、学校施設やスポーツ施設その他の各種施設の更衣室などに設置される。この場合、例えば、１つのロッカー１に対して特定の１人が専有して使用するように利用者が予め特定されている。
【００３６】
利用者に対して例えば郵便物や請求書などの書類１０を渡す際には、利用者のロッカー１における投函口８から書類１０を投函する。この際には、投函された書類１０は、投函口８を介して副収納口６の内部に入り、底板６１上に止まった状態で副収納口６に収納される。また、投函者は、利用者に対してロッカー１に書類１０を投函したこと伝えるために、投函口８の上側の表示板９を裏返して貼り付ける。この場合、扉３の鍵３５が施錠されている限り、投函された書類１０は他人に見られたり盗難されることなく収納される。したがって、利用者に直接手渡すことなく任意の時間に書類１０を確実に届けることができる。また、投函の際に、ロッカー１の扉３を開ける必要がないため、ロッカー１の内部を他人に見られることがない結果、利用者のプライバシーが確実に保護される。
【００３７】
一方、利用者は、表示板９を確認することで、ロッカー１の扉３を開いて副収納部６の内部を確認することなく書類１０の有無を容易に知ることができる。書類１０を取り出す際には、利用者は、扉３を開き、その際に、透明な仕切り板６２、または仕切り板６２の切欠き６２ａを介して収納物の有無を容易に確認することができるばかりでなく、投函された書類１０の大きさや、種類などを容易に確認することができる。次いで、利用者は、副収納部６から書類１０を取り出す。この際に、取り出し難いときには、仕切り板６２を本体部２から取り外して書類１０を取り出すこともできる。したがって、利用者は、書類１０の受け取りのために受取場所にわざわざ出向く手間をかけることなく、任意の時間に書類１０を確実に受け取ることができる。
【００３８】
また、このロッカー１では、副収納部６が、左側板２２の厚みの範囲内に形成されて、主収納部５側に張り出していない。このため、主収納部５の収納容積が最大限に確保されている。したがって、利用者は、十分に大きな荷物等を主収納部５に収納することができる。また、このロッカー１によれば、扉３を閉じた際に左側板正面壁２２ａ等の正面壁が露出する型式のロッカー１において、副収納部６および投函口８の形成に左側板正面壁２２ａ等の正面壁を利用することにより、簡易な構造でありながら、副収納部６および投函口８を形成することができる。
【００３９】
なお、本発明は、上記の例に限定されない。例えば、副収納部６を左側板２２の板体の厚みの範囲内で形成する例について上記したが、図４に一点鎖線で示す仕切り板６２ｂを用いると共に底板６１も仕切り板６２ｂの大きさに応じて大きく形成することで、左側板正面壁２２ａの厚みの範囲を若干超えて副収納部６を構成することもできる。つまり、副収納部６の収納空間の主たる部分を左側板２２等の板体の厚みの範囲内で形成することもできる。このように、副収納部６に収納すべき収納物の種類等に応じて、本発明の趣旨を逸脱しない程度に副収納部６の収納容積を変更することができる。
【００４０】
また、上記した実施例では、透明樹脂によって形成された仕切り板６２について説明したが、半透明樹脂で形成する構成を採用することもできる。この構成であっても、利用者は、半透明の仕切り板６２を介して収納物の有無を容易に確認することができる。また、図５に示すロッカー１１の仕切り板６３（本発明における副収納部を形成する側板）のように、書類１０の確認用の孔６３ａを形成した構成を採用することもできるし、図６に示すロッカー１２の仕切り板６４（本発明における副収納部を形成する側板）のように、書類１０の確認用の切欠き６４ａを副収納部６の下部側に設けた構成を採用することもできる。この構成によれば、利用者は孔６３ａまたは切欠き６４ａを介して収納物の有無を確実かつ容易に確認することができる。なお、以下、ロッカー１における各構成要素と同一の機能を有する構成要素については同一の符号を付して重複した説明を省略する。
【００４１】
一方、図７，８に示すロッカー１３のように、副収納部６を形成する物入れ６５を左側板２２の内面に着脱可能に配設した構成を採用することもできる。この場合、例えば、物入れ６５は、マグネットによって左側板２２の内面側に固定されている。この構成によれば、利用者は、物入れ６５を容易に着脱することができるため、取り外した物入れ６５から書類１０を容易に取り出すことができる。このロッカー１３によれば、副収納部６と主収納部５とを確実に区画することができるため、投入された書類１０の主収納部５への混入を防止しつつ副収納部６に確実に収納することができる。
【００４２】
また、図９，１０に示すロッカー１４のように、副収納部６が形成された左側板正面壁２２ａを被覆しつつ主収納部５を閉塞可能に扉３Ａを構成し、副収納部６に連通する連通孔（同図では、投函口８と同形状の連通孔、以下、「投函口８」で統一する）を左側板正面壁２２ａに形成し、扉３Ａにおける投函口８に対向する部位に投函口８Ａを形成する構成を採用することもできる。このロッカー１４によれば、扉３Ａを閉じた際に左側板正面壁２２ａが扉３Ａによって被覆される型式のロッカーにおいても、副収納部６に連通する連通孔（投函口８）を左側板正面壁２２ａに形成し、扉３Ａにおける投函口８に対向する部位に投函口８Ａを形成することにより、簡易な構造でありながら、副収納部６、投函口８，８Ａを形成することができる。
【００４３】
また、上記したロッカー１では、左側板２２の左側板正面壁２２ａの厚み内に副収納部６を形成する例について説明したが、他の板体（底板正面壁２１ａ、右側板正面壁２３ａまたは天板正面壁２４ａ）の厚み内にその主たる部分または全部を形成する構成を採用することもできる。また、いずれか複数の板体に複数の副収納部６をそれぞれ形成する構成を採用することもできる。
【００４４】
また、図１１〜図１３に示すように、複数の主収納部５と各主収納部５を開閉する複数の扉３とを備えて構成されるロッカー１５において、天板２６の天板正面壁２６ａおよび仕切り板７１の仕切り板正面壁７１ａの厚み内に副収納部６をそれぞれ形成する構成を採用することもできる。この場合、天板２６および仕切り板７１には、図１１，１２に示すように、投函された書類１０が副収納部６に収納可能な位置に投函口８，８・・が形成されている。また、副収納部６は、一例として、図１２，１３に示すように、物入れ６７で構成されている。この場合、物入れ６７は、図１３に示すように、後方にスライドさせられた際に、破線で示すように、背板２５に沿って設けられている軸６８を中心に回動して前方に傾くように構成されている。また、物入れ６７は、軸６８を中心に反対向きで回動させることにより、図示しないロック手段によって水平状態に固定される。したがって、このロッカー１５では、物入れ６７を後方にスライドさせることで、収納されている書類１０を容易に取り出すことができる。なお、副収納部６を、主収納部５の下部、右部または左部に形成する構成を採用することもできる。
【００４５】
また、図１４に示すロッカー１６のように、底板２１、左側板２２、右側板２３および天板２４以外の板体としての仕切り板７２における仕切板正面壁７２ａの厚み内に副収納部６を形成する構成を採用することもできる。この場合、副収納部６に連通する連通孔（投函口８）が仕切板正面壁７２ａに形成されると共に、扉３Ｂを閉じた際に投函口８に対向する扉３Ｂの所定部位（位置）に投函口（投入口）８Ａが形成されている。このロッカー１６によれば、簡易な構造でありながら、副収納部、連通口（投函口８）および投函口８Ａを形成することができる。なお、天板２４および底板２１の間に仕切り板７２を設けて主収納部５を幅方向に仕切ることもできる。
【００４６】
また、上記の構成に限らず、本発明における表示手段として、書類１０が副収納部６に収納されたことを検出するセンサーと、ロッカーの正面に配設されたＬＥＤ（発光ダイオード）と、センサーが書類１０を検出したときにＬＥＤを点滅させる制御回路とを備えた構成を採用することもできる。この構成によれば、書類１０の投函時に自動的にＬＥＤを点灯させて書類１０の存在を利用者に知らしめることができる。さらに、底板２１、左側板２２、右側板２３および天板２４等を一枚の板体で構成することもできる。また、本発明に係る収納家具は、ロッカーへの適用に限らず、家庭用家具を初めとして各種収納家具に適用することができる。また、上記の各構成を適宜組み合わせることが可能なことは勿論である。
【図面の簡単な説明】
【００４７】
【図１】ロッカー１（１１，１２）の正面図である。
【図２】扉３を開いた状態のロッカー１（１１，１２）の正面図である。
【図３】図１におけるＡ−Ａ線で切断したロッカー１の断面図である。
【図４】図１におけるＢ−Ｂ線で切断したロッカー１の断面図である。
【図５】ロッカー１における仕切り板６２に代えて仕切り板６３が用いられたロッカー１１についての図１におけるＡ−Ａ線で切断した断面図である。
【図６】ロッカー１における仕切り板６２に代えて仕切り板６４が用いられたロッカー１２についての図１におけるＡ−Ａ線で切断した断面図である。
【図７】物入れ６５で副収納部６を構成したロッカー１３の斜視図である。
【図８】物入れ６５を取り外した状態のロッカー１３の斜視図である。
【図９】ロッカー１４の正面図である。
【図１０】扉３Ａを開いた状態のロッカー１４の正面図である。
【図１１】ロッカー１５の正面図である。
【図１２】図１１におけるＣ−Ｃ線で切断したロッカー１５の断面図である。
【図１３】図１１におけるＤ−Ｄ線で切断したロッカー１５の断面図である。
【図１４】扉３Ｂを開いた状態のロッカー１６の正面図である。
【符号の説明】
【００４８】
１，１１〜１６  ロッカー
２  本体部
３，３Ａ，３Ｂ  扉
５  主収納部
６  副収納部
８，８Ａ  投函口
１０  書類
２１  底板
２２  左側板
２３  右側板
２４，２６  天板
２５  背板
２１ａ  底板正面壁
２２ａ  左側板正面壁
２３ａ  右側板正面壁
２４ａ，２６ａ  天板正面壁
６３ａ  孔
６４ａ  切欠き
６５，６７  物入れ
７１，７２  仕切り板
７１ａ，７２ａ  仕切り板正面壁
【要約】
【課題】収納容積を十分に確保しつつ、扉が閉まっている状態においても外部から書類等を投入し得る収納家具を提供する。
【解決手段】底板２１、左側板２２、右側板２３および天板２４を有する本体部２の内部に主収納部５が形成されると共に、主収納部５を閉塞する扉３が正面に配設されているロッカー１であって、左側板２２の内面に沿って左側板正面壁２２ａの厚みの範囲内に収納空間の主たる部分が形成されると共に主収納部５と区画された副収納部６を備え、本体部２の外部から副収納部６に連通する投函口８を正面に形成した。
【選択図】図１
【図１】
0003639586.tif 000002
【図２】
0003639586.tif 000003
【図３】
0003639586.tif 000004
【図４】
0003639586.tif 000005
【図５】
0003639586.tif 000006
【図６】
0003639586.tif 000007
【図７】
0003639586.tif 000008
【図８】
0003639586.tif 000009
【図９】
0003639586.tif 000010
【図１０】
0003639586.tif 000011
【図１１】
0003639586.tif 000012
【図１２】
0003639586.tif 000013
【図１３】
0003639586.tif 000014
【図１４】
0003639586.tif 000015